(57)【特許請求の範囲】
【請求項１】
産業用コンピュータ（１）の拡張カード（９）に用いられる引出装置（１０）であって、
底部（２３）と、
前記底部（２３）と接続される少なくとも一つの側壁（２４）と、
を備え、
前記拡張カード（９）を収容するのに用いられる引出し（２２）と、
前記拡張カード（９）を前記引出し（２２）に固定するために、少なくとも段階的に、形状嵌合方式により、前記少なくとも一つの側壁（２４）と前記拡張カード（９）を同時に留める固定部品（５７）と、
を有し、
前記少なくとも一つの側壁（２４）はベース部分（２７）及び前記ベース部分（２７）から垂直に延伸する固定部分（３４）を備え、
前記固定部分（３４）は第一凹溝（３５）及び第二凹溝（３６）を備え、
前記固定部品（５７）はロック状態（ＶＺ）において同時に前記第一凹溝（３５）及び前記第二凹溝（３６）に嵌め込まれる
ことを特徴とする引出装置（１０）。
【請求項２】
前記固定部品（５７）は形状嵌合方式により、前記少なくとも一つの側壁（２４）の前記固定部分（３４）と前記拡張カード（９）の固定プレート（１３）を同時に留めるのに適することを特徴とする請求項１に記載の引出装置（１０）。
【請求項３】
前記固定部品（５７）は、前記第一凹溝（３５）において回転可能に支持される軸部（５８）を備え、前記固定部品（５７）は、前記軸部（５８）の周りを回すことでロック解除状態（ＥＺ）からロック状態（ＶＺ）にする、またはロック状態（ＶＺ）からロック解除状態（ＥＺ）にすることを特徴とする請求項２に記載の引出装置（１０）。
【請求項４】
前記固定部品（５７）は、前記ロック状態（ＶＺ）において、形状嵌合方式により、前記第二凹溝（３６）に嵌め込まれるのに適するロック部分（５９）を有することを特徴とする請求項２または３に記載の引出装置（１０）。
【請求項５】
前記ロック部分（５９）は前記拡張カード（９）の前記固定プレート（１３）に嵌め込まれるのに適することを特徴とする請求項４に記載の引出装置（１０）。
【請求項６】
前記拡張カード（９）を支持するのに適する少なくとも一つの支持部品（４４、４５、４６）をさらに備えることを特徴とする請求項２から５のいずれか一項に記載の引出装置（１０）。
【請求項７】
前記少なくとも一つの支持部品（４４、４５、４６）は前記底部（２３）上に設置される少なくとも一つのガイド溝（４０、４１、４２、４３）においてガイドされることを特徴とする請求項６に記載の引出装置（１０）。
【請求項８】
前記少なくとも一つの支持部品（４４、４５、４６）はガイドピン（５０）を有し、前記少なくとも一つのガイド溝（４０、４１、４２、４３）においてガイドされるることを特徴とする請求項７に記載の引出装置（１０）。
【請求項９】
複数のガイド溝（４０、４１、４２、４３）が設置され、前記少なくとも一つの支持部品（４４、４５、４６）は異なるガイド溝（４０、４１、４２、４３）の間で交換可能であることを特徴とする請求項７または８に記載の引出装置（１０）。
【請求項１０】
前記少なくとも一つの側壁（２４）は前記拡張カード（９）の前記固定プレート（１３）を収容するのに用いられる収容部分（３１）を有することを特徴とする請求項２から９のいずれか一項に記載の引出装置（１０）。
【請求項１１】
前記少なくとも一つの側壁（２４）は第一側壁（２４）及び前記第一側壁（２４）に対応して配置される第二側壁（２５）を備え、前記第一側壁（２４）上に前記固定部品（５７）が設置され、前記第二側壁（２５）は前記拡張カード（９）を前記引出し（２２）に挿入させるのに用いられる穿孔（３８）を有することを特徴とする請求項２から１０のいずれか一項に記載の引出装置（１０）。
【請求項１２】
請求項２から１１のいずれか一項に記載の引出装置（１０）を引出装置を有することを特徴とする産業用コンピュータ（１）。
【請求項１３】
産業用コンピュータ（１）の拡張カード（９）を引出装置（１０）に収容する方法であって、
底部（２３）及び前記底部（２３）と接続される少なくとも一つの側壁（２４）と、
を備え、
前記引出装置（１０）の前記拡張カード（９）を収容するのに用いられる引出し（２２）を提供するステップ（Ｓ１）と、
前記拡張カード（９）を前記引出し（２２）に押し入れるステップ（Ｓ２）と、
前記引出装置（１０）の固定部品（５７）によって前記拡張カード（９）を前記引出し（２２）上に固定するステップ（Ｓ３）と、を含み、
前記固定部品（５７）は、少なくとも段階的に、形状嵌合方式により、前記側壁（２４）と前記拡張カード（９）を同時に留め、
前記少なくとも一つの側壁（２４）はベース部分（２７）及び前記ベース部分（２７）から垂直に延伸する固定部分（３４）を備え、
前記固定部分（３４）は第一凹溝（３５）及び第二凹溝（３６）を備え、
前記固定部品（５７）はロック状態（ＶＺ）において同時に前記第一凹溝（３５）及び前記第二凹溝（３６）に嵌め込まれることを特徴とする方法。
【請求項１４】
少なくとも一つの支持部品（４４、４５、４６）が前記拡張カード（９）を支持することで、前記支持部品は前記底部（２３）上に設置される少なくとも一つのガイド溝（４０、４１、４２、４３）においてガイドされることを特徴とする請求項１３に記載の方法。
【発明の詳細な説明】
【技術分野】
【０００１】
本発明は産業用コンピュータの拡張カードに用いられる引出装置、このような引出装置を有する産業用コンピュータ及び産業用コンピュータの拡張カードをこのような引出装置に収容する方法に関する。
【背景技術】
【０００２】
産業用コンピュータまたは工業用コンピュータまたは略称ＩＰＣが指すのは、産業分野のタスクに用いられるコンピュータである。このような産業用コンピュータは堅固な筐体を有しており、該筐体は特に産業用コンピュータを保護して、環境要因（例、ホコリ）、電磁干渉及び／又は水分の影響を受けない。一般的にこのタイプの産業用コンピュータをプロセスの可視化、ロボット技術、工業自動化、測定及び試験ステージの操作モードなどに応用される。このような産業用コンピュータはオフィス部分内の設備に対して非常に堅固且つ故障が発生しにくいことが必須である。このような。産業用コンピュータは筐体を有し、引き出し状のフレームによって拡張ボードまたは拡張カード９を該筐体に押し入れ、この筐体から再び引き出すことができる。特開２０１３−２０５９９６及びＵＳ６９５０３０１Ｂ２はそれぞれこのタイプの拡張カードに用いられる引き出し状のフレームを記述している。
【先行技術文献】
【特許文献】
【０００３】
【特許文献１】特開２０１３−２０５９９６号公報
【特許文献２】ＵＳ６９５０３０１Ｂ２号公報
【発明の概要】
【発明が解決しようとする課題】
【０００４】
このような背景の下、本発明は、産業用コンピュータに用いられる改良型の引出装置を提供することを目的とする。
【課題を解決するための手段】
【０００５】
本発明は以下の構成によって、産業用コンピュータの拡張カードに用いられる引出装置を提供する。前記引出装置は底部と前記底部と接続される少なくとも一つの側壁を備え、前記拡張カードを収容するのに用いられる引出しと、前記拡張カードを前記引出しに固定するために、少なくとも段階的に、形状嵌合方式により前記少なくとも一つの側壁と前記拡張カードを同時に留めるのに適しており、前記拡張カードを前記引出しに固定しやすくする固定部品とを有する。
【０００６】
形状嵌合の接続とは、少なくとも二つの接続対象（ここでは固定部品、少なくとも一つの側壁と拡張カード）が互いに嵌って生じるものである。このようにすると、力の伝達が存在しないまたは力の伝達が中断した状況でも、接続対象は外れることはない。換言すると、形状嵌合の接続が存在する状況では、そのうち一つの接続対象が別の接続対象の妨げとなる。したがって、固定部品を除去することでしか拡張カードと前記少なくとも一つの側壁の間の接続を解除できない。好ましくは、前記固定部品は弾性変形可能で、且つ、前記拡張カードと前記少なくとも一つの側壁に固定されてもよい。
【０００７】
前記固定部品は前記少なくとも一つの側壁と前記拡張カードを同時に留め、このようにすると、ねじで接続して拡張カードを固定する必要が無い。拡張カードの交換操作を簡略するとともに引出しに確実に固定する。
【０００８】
実施形態において、前記少なくとも一つの側壁はベース部分及び前記ベース部分から垂直に延伸する固定部分を備え、前記固定部品は形状嵌合方式により前記少なくとも一つの側壁の固定部分と前記拡張カードの固定プレートを同時に留めるのに適する。
【０００９】
好ましくは、前記拡張カードの固定プレートは同様に固定部分を有し、前記固定部品は特に、形状嵌合方式により前記少なくとも一つの側壁の固定部分と前記固定プレートの固定部分を同時に留めるのに適する。前記固定プレート以外に、前記拡張カードは前記固定プレートと固定接続される、電子部品を固定するのに用いられるプリント回路基板または回路基板を有することが好ましい。
【００１０】
別の実施形態に基づき、前記固定部分は第一凹溝及び第二凹溝を備え、前記固定部品はロック状態において同時に前記第一凹溝及び前記第二凹溝に嵌め込まれる。
【００１１】
好ましくは、前記固定プレートの固定部分は同様に第一凹溝及び第二凹溝を備え、前記固定部品はロック状態において同時に前記第一凹溝及び前記第二凹溝に嵌め込まれる。好ましくは、ロック状態において、前記少なくとも一つの側壁の固定部分の第一凹溝または第二凹溝が前記固定プレートの固定部分の第一凹溝または第二凹溝と一致するように配置される。
【００１２】
別の実施形態に基づき、前記固定部品は、前記第一凹溝において回転可能に支持される軸部を備え、前記固定部品は、前記軸部の周りを回すことでロック解除状態からロック状態にしてもよく、逆も然りである。
【００１３】
前記軸部は円形または一部が円形の横断面を有することが好ましい。前記軸部は前記固定部品の二つの側面部を接続させる。とりわけ、前記固定部品は、プラスチックで製造される。前記固定部品は、例えばプラスチック射出成形部品であってもよい。前記軸部は前記拡張カードの第一凹溝において回転可能に支持されることも好ましい。
【００１４】
別の実施形態において、前記固定部品は、ロック部分を有し、前記ロック状態において、形状嵌合方式により前記第二凹溝に嵌め込まれるのに適する。
【００１５】
前記ロック部分は前記軸部と同様に前記固定部品の側面部を接続させる。ロック状態において、前記ロック部分は前記拡張カードの第二凹溝に嵌め込まれることも好ましい。とりわけ、前記ロック部分は、前記拡張カードの第二凹溝に嵌め込まれるまたは留まってもよい。前記拡張カードの第二凹溝は辺縁上に係合突起を有してもよく、前記係合突起は前記ロック部分を前記第二凹溝に押し込む時、前記ロック部分に割り込む。このようにすると、特に良好に前記固定部品を固定することができる。
【００１６】
別の実施形態において、前記ロック部分は前記拡張カードの固定プレートに嵌め込まれるのに適する。
【００１７】
とりわけ、前記ロック部分は前記固定部分に嵌め込まれる、特に前記固定プレートの固定部分の第二凹溝に嵌め込まれるのに適する。「嵌め込まれる」という表現が意味することは、前記ロック部分が前記固定部分の凹溝に留まり、且つ、この過程で弾性変形が生じることである。この場合、前記ロック部分または前記固定部品の再度の弾性変形でしか、前記ロック部分と前記第二凹溝の係合を解除できない。
【００１８】
別の実施形態において、前記引出装置は少なくとも一つの支持部品をさらに備え、前記拡張カードを支持するのに適する。
【００１９】
好ましくは、複数のこのタイプの支持部品が設置されてもよい。前記支持部品によって前記引出装置と異なるタイプ及びサイズの拡張カードを適合させてもよい。
【００２０】
別の実施形態において、前記少なくとも一つの支持部品は前記底部上に設置される少なくとも一つのガイド溝においてガイドされる。
【００２１】
好ましくは、前記底部上に複数のこのタイプのガイド溝が設置される。前記ガイド溝は前記底部を穿孔することで構成することが好ましい。
【００２２】
別の実施形態において、前記少なくとも一つの支持部品はガイドピンを有し、前記少なくとも一つのガイド溝においてガイドされる。
【００２３】
前記ガイドピンの接続部分は、前記少なくとも一つの支持部品のベース部分と接続されることが好ましい。前記少なくとも一つの支持部品が移動する時、前記ガイドピンは前記ガイドピンにおいて摩擦が生じる。前記少なくとも一つの支持部品は回すことで前記ガイド溝に固定されてもよい。
【００２４】
別の実施形態において、複数のガイド溝が設置され、前記少なくとも一つの支持部品は異なるガイド溝の間で交換可能である。
【００２５】
例えば、三つまたは四つのガイド溝が設置される。
【００２６】
別の実施形態において、前記少なくとも一つの側壁は前記拡張カードの固定プレートを収容するのに用いられる収容部分を有する。
【００２７】
前記収容部分は前記固定部レートを貫通する穿孔を有することが好ましい。
【００２８】
別の実施形態において、前記引出装置は第一側壁及び前記第一側壁に対応して配置される第二側壁をさらに備え、前記第一側壁上に前記固定部品が設置され、前記第二側壁は前記拡張カードを前記引出しに挿入させるのに用いられる穿孔を有する。
【００２９】
好ましくは、前記第一側壁と前記第二側壁の間に前記引出しの前壁が配置される。前記第一側壁、前記第二側壁及び前記引出しの底部は単一の材料から構成され、プレートを折り曲げた部品及び／またはパンチした部品によって実現される。前記引出装置は前記拡張カードをさらに備えてもよい。前記拡張カードは、一つまたは複数の前記拡張カードと前記産業用コンピュータのメインボードを接続するのに用いられるプラグインコネクタを有してもよい。
【００３０】
本発明は、このような引出装置を有する産業用コンピュータをさらに提供する。
【００３１】
前記産業用コンピュータは、筐体装置、冷却筐体、電子デバイス収容筐体、アクセサリ収容筐体を有することが好ましい。前記引出装置は前記アクセサリ収容筐体に押し入れ、前記アクセサリ収容筐体から引き出すことができる。
【００３２】
本発明は、産業用コンピュータの拡張カードをこのような引出装置に収容する方法をさらに提供する。前記方法は、前記引出装置の前記拡張カードを収容するのに用いられる引出しを提供するステップと、前記引出しは底部及び前記底部と接続される少なくとも一つの側壁を備え、前記拡張カードを前記引出しに押し入れるステップと、前記引出装置の固定部品によって前記拡張カードを前記引出し上に固定するステップと、を含み、前記固定部品は、少なくとも段階的に、形状嵌合方式により前記側壁と前記拡張カードを同時に留める。
【００３３】
前記方法は、前記引出装置を前記産業用コンピュータに押し入れるアクセサリ収容筐体を有してもよい。
【００３４】
別の実施形態において、前記少なくとも一つの支持部品が前記拡張カードを支持することで、前記支持部品は前記底部上に設置される少なくとも一つのガイド溝においてガイドされる。
【００３５】
前記少なくとも一つの支持部品は移動可能であることが好ましい。このようにすると、引出装置と異なるサイズの異なる拡張カードと適合させることができる。
【００３６】
上記または下記の実施形態で説明された特徴または実施形態において、幾つかの組合わせは本願で限定にしておらず、その中には、前記引出装置、前記産業用コンピュータ及び／又は前記方法のその他の実施可能な実施形態も含む。前記引出装置、前記産業用コンピュータ及び／又は前記方法の基本形態について、当業者により提出された独立した特徴を有する形式的な変更または補充試案も、本発明のその他の実施可能な実施形態に属する。
【００３７】
前記引出装置、前記産業用コンピュータ及び／又は前記方法のさらに多くの有利な設計試案及び特徴は、従属請求項及び前記引出装置、前記産業用コンピュータ及び／又は前記方法の実施形態を参照すること。
【発明の効果】
【００３８】
本発明は前記引出装置、前記産業用コンピュータ及び／又は前記方法を提供する。
【００３９】
本発明の上述した特徴と利点を更に明確化するために、以下、図面が示す好ましい実施形態を組み合わせて、前記引出装置、前記産業用コンピュータ及び／又は前記方法を詳細に説明する。
【図面の簡単な説明】
【００４０】
【図１】産業用コンピュータの実施形態の模式的な斜視図である。
【図２】図１が示す産業用コンピュータの別の模式的な斜視図である。
【図３】図１が示す産業用コンピュータの別の模式的な斜視図である。
【図４】図１が示す産業用コンピュータの別の模式的な斜視図である。
【図５】図１が示す産業用コンピュータの引出装置の実施形態の模式的な斜視図である。
【図６】図５が示す引出装置に用いられる支持部品の実施形態の模式的な側面図である。
【図７】図６が示す支持部品の模式的な局部斜視図である。
【図８】図５が示す引出装置の固定部品の実施形態の模式的な斜視図である。
【図９】図５が示す引出装置の模式的な局部斜視図である。
【図１０】図５が示す引出装置の別の模式的な局部斜視図である。
【図１１】図５が示す引出装置の別の模式的な局部斜視図である。
【図１２】図５が示す引出装置の別の模式的な局部斜視図である。
【図１３】図５が示す引出装置の別の模式的な斜視図である。
【図１４】図５が示す引出装置の別の模式的な斜視図である。
【図１５】図１が示す産業用コンピュータのアクセサリ収容筐体の実施形態の模式的な斜視図である。
【図１６】拡張カードを図５が示す引出装置に収容する方法の実施形態の模式的なブロック図である。
【発明を実施するための形態】
【００４１】
別に説明される場合を除き、図面において、同じ又は機能が同じ部品は同一の符合で表される。
【００４２】
図１は産業用コンピュータ１の実施形態の模式的な斜視図である。産業用コンピュータ１、工業用コンピュータ、略称ＩＰＣまたは工業用制御コンピュータ（Ｉｎｄｕｓｔｒｉｅｒｅｃｈｕｎｅｒ）という用語が意味するのは、産業分野のタスクに用いられるコンピュータである。特にＩＢＭの互換ＰＣに類似し、且つ、特に、このタイプの装置が対象とするソフトウェア開発に用いられるコンピュータを意味する。このような産業用コンピュータ１のよく見られる応用範囲は、プロセスの可視化、ロボット技術、工業自動化、測定及び試験ステージの操作モード、安全技術または品質保証である。産業用コンピュータ１はオフィス内の設備に対して特殊な要求を満たすことが必須であり、一般的に環境要因または電磁干渉の影響を受けず、且つ、全体的に故障が発生しにくいことである。
【００４３】
産業用コンピュータ１はモジュール式筐体装置２を備える。モジュール式筐体装置２とは、複数のユニットモジュールから構成されている装置であり、これらのユニットは特に、工具を必要とせず、互いに分解及び接続することができる。筐体装置２はここでは一つの方形の冷却筐体３、一つの方形の電子デバイス収容筐体４、少なくとも一つの方形のアクセサリ収容筐体５を有する。図１に示される方向では、電子デバイス収容筐体４はアクセサリ収容筐体５の上に配置され、冷却筐体３は電子デバイス収容筐体４の上に配置されることから、電子デバイス収容筐体４は冷却筐体３とアクセサリ収容筐体５の間に配置される。冷却筐体３、電子デバイス収容筐体４及び／又はアクセサリ収容筐体５はプラスチックで製造されてもよい。
【００４４】
電子デバイス収容筐体４は、メインボード（またはマザーボード）、プロセッサ又はＣＰＵ或いは産業用コンピュータ１のその他の電子部品のような電子部品を収容するのに適する。冷却筐体３は電子デバイス収容筐体４に収容された電子部品を冷却するのに適する。このため、冷却筐体３は二つのファン７、８を備える冷却ユニット６を有してもよい。アクセサリ収容筐体５は、ディスクドライブ、ハードディスク、電源部品及び／又はメインボードと接続される追加の回路基板のような産業用コンピュータ１の追加部品を収容するのに適する。とりわけ、アクセサリ収容筐体５は産業用コンピュータ１の拡張ボードまたは拡張カード９を収容するのに適してもよい。
【００４５】
図１から図４に示すように、産業用コンピュータ１及び特にアクセサリ収容筐体５は拡張カード９に用いられる引出装置１０を備える。引出装置１０はアクセサリ収容筐体５に引き出し式で押し入れ、このアクセサリ収容筐体５から再び引き出すことができる。図１は一部がアクセサリ収容筐体５に押し入れられた、またはアクセサリ収容筐体５から引き出された状態の引出装置１０を示す。拡張カード９は電子部品を固定する（特に半田付けする）のに用いられる回路基板またはプリント回路基板１１を備える。プリント回路基板１１はプラグインコネクタ１２を有してもよく（図１３）、プリント回路基板１１は例えばこのプラグインコネクタによって産業用コンピュータ１のメインボードと接続してもよい。
【００４６】
拡張カード９は固定プレート１３をさらに備える。固定プレート１３は鋼板でもよい。固定プレート１３はプリント回路基板１１の側面に設置され、それと固定接続される。とりわけ、固定プレート１３はプリント回路基板１１垂直に配置される。
【００４７】
図９から図１４に示すように、固定プレート１３上にプラグインコネクタ１４が設置される。図９に示すように、固定プレート１３はベース部分１５を備え、プラグインコネクタ１４はこのそのベース部分１５上に固定される。固定プレート１３は、ベース部分１５上に固定部分１６をさらに備える。固定部分１６はベース部分１５に垂直になるように位置決めされ、プリント回路基板１１から離れる向きにされる。固定部分１６は上面上で第一凹溝１７を有し、正面上に、すなわちプリント回路基板１１から離れる側に、第二凹溝１８を有する。
【００４８】
また、固定部分１６と隣接するところでは、発光ダイオード１９、２０（ＬＥＤ）（図１２及び１４）はベース部分１５を貫通してもよい。ベース部分１５の固定部分１６から離れる末端部分上に取り付け部分２１が設置される（図１３及び１４）。引出装置１０は拡張カード９を備えてもよい。
【００４９】
引出装置１０は拡張カード９に用いられる引出し２２を備える。図５に示すように、引出し２２は、底部２３と、第一側壁２４と、第一側壁２４に対向して配置される第二側壁２５と、第一側壁２４と第二側壁２５の間に配置される前壁２６を備える。底部２３と側壁２４、２５は例えば、単一の材料から構成され、プレートを折り曲げた部品及び／またはパンチした部品によって実現される。前壁２６はプラスチックで製造されてもよい。
【００５０】
第一側壁２４は拡張カード９のプラグインコネクタ１４が貫通する貫通孔２８を有するベース部分２７を備える。第一側壁２４は貫通孔２９、３０をさらに備える。拡張カード９のＬＥＤ１９、２０は貫通孔２９、３０を貫通してもよい。
【００５１】
第一側壁２４は第二側壁２５の方向に向かって屈曲した収容部分３１をさらに備え、拡張カード９の取り付け部分２１を収容するのに用いられる穿孔３２を有する。第一側壁２４は底部２３に平行で間隔が一定の距離である屈曲部３３を有する。収容部分３１に対向し、第二側壁２５から離れる向きにされるように第一側壁２４の固定部分３４が設置される（図９）。固定部分３４はベース部分２７に垂直になるように位置決めされる。図９に示すように、固定部分３４は、拡張カード９の固定部分１６の第一凹溝１７と対応する第一凹溝３５及び拡張カード９の固定部分１６の第二凹溝１８と対応する第二凹溝３６を有する。この場合、拡張カード９の第二凹溝１８のサイズは引出し２２の固定部分３４の第二凹溝３６より小さい。
【００５２】
図５に戻ると、引出し２２の第二側壁２５は穿孔３８を有するベース部分３７を備え、図３に示すように、拡張カード９はこの穿孔３８によって引出し２２に挿入されてもよい。第二側壁２５は底部２３に平行で間隔が一定の距離である屈曲部３９をさらに備える。底部２３に複数のガイド溝４０〜４３が設置され、これらのガイド溝は側壁２４、２５に並行である。ガイド溝４０〜４３は底部２３を穿孔することにより構成される。ガイド溝４０〜４３の数は任意である。例えば、四つのこのタイプのガイド溝４０〜４３が設置される。
【００５３】
引出装置１０は、ガイド溝４０〜４３において移動可能に支持される複数の支持部品４４〜４６を備える。支持部品４４〜４６の数はガイド溝４０〜４３の数に符合させる必要は無い。例えば、三つの支持部品４４〜４６が設置される。とりわけ、図６及び図７に示すように、第一支持部品４４は円筒形のベース部分４７及びヘッド部分４８を備える。ヘッド部分４８とベース部分４７の間にプリント回路基板１１を収容するのに用いられる凹溝４９が設置される。第一支持部品４４はガイドピン５０を備え、このガイドピン５０はプレート状の接続部分５１によってベース部分４７と接続される。
【００５４】
第一支持部品４４は底部２３の下方に配置される脚部部分５２をさらに備える。ガイドピン５０、及び脚部部分５２とベース部分４７の間に配置されるガイド部分５３は、ガイド溝４０に沿ってガイドされる。ヘッド部分４８上には、第一支持部品４４を回すのに用いられるツールを嵌め込むのに用いられるギャップ５４を設ける。ギャップ５４を介してこの支持部品を回すことで、底部２３に対する支持部品４４の固定を実現する。
【００５５】
もう一度、図５に戻ると、第二支持部品４５及び第三支持部品４６は同様にそれぞれ一つのヘッド部分５５、５６を有し、このヘッド部分５５、５６はプリント回路基板１１に留めるのに適する。第三支持部品４６のヘッド部分５６は第二支持部品４５のヘッド部分５５より大きな直径を有してもよい。支持部品４５、４６はガイド溝４１、４２に分配されてもよい。
【００５６】
引出装置１０は、図８に示す固定部品５７をさらに備え、少なくとも段階的に、形状嵌合方式により、第一側壁２４（特に第一側壁２４の固定部分３４）と拡張カード９（特に拡張カード９の固定プレート１３の固定部分１６）を留めるのに適しており、拡張カード９を引出し２２に固定しやすくする。固定部品５７は軸部５８及びロック部分５９を有する。軸部５８は円形または少なくとも一部が円形の幾何構造を有することが好ましい。軸部５８及びロック部分５９は固定部品５７の第一側面部６０と第二側面部６１を接続させる。固定部品５７はプラスチックで製造されることが好ましい。固定部品５７は弾性変形可能である。側面部６０、６１はいずれも面取りされた角と正面の切り口６２を備える矩形幾何構造を有し、この切り口６２は前記矩形幾何構造の短辺に沿い、長辺の方向へ延伸する。
【００５７】
以下に引出装置１０の機能について説明する。図２から図４を参照すると、まず拡張カード９を引出し２２の側壁２５の穿孔３８を貫通させて、この引出し２２を押し入れる。この場合、固定プレート１３の取り付け部分２１を第一側壁２４の収容部分３１の穿孔３２に貫通させる。ＬＥＤ１９、２０を第一側壁２４は貫通孔２９、３０に挿入される。
【００５８】
それから、図１０に示すように、固定部品５７を第一凹溝１７、３５に嵌め込む。この場合、特に、軸部５８を第一凹溝１７、３５に嵌め込む。図１０はロック解除状態ＥＺの固定部品５７を示す。前記ロック解除状態において、前記固定部品５７を簡単に取り外して上向きに第一凹溝１７、３５から取り出すことができる。図１０が示す回転方向ＤＲに沿って固定部品５７を軸部５８の周りを回すことで、固定部品５７をロック解除状態ＥＺから図１１で示されるロック状態ＶＺにする。この場合、ロック部分５９は第二凹溝３６、１８内にある。とりわけ、ロック部分５９は拡張カード９の固定プレート１３の第二凹溝１８に留められる。ロック状態ＶＺにおいて、固定部分１６、３４は互いに押し付けられ、且つ、固定部品５７の側面部６０、６１の間に配置される。
【００５９】
図９に示すように、拡張カード９の第二凹溝１８の両側はいずれも選択可能なブレード部品または係合突起６３、６４を有し、ロック部分５９に割り込み、固定部品５７を確実に固定しやすくする。
【００６０】
また、図１３及び図１４に示すように、支持部品４４〜４６を位置決めしてもよく、プリント回路基板１１を補助的に支持する。使用されるプリント回路基板１１の種類及びサイズに基づき、対応してガイド溝４０〜４３を沿って支持部品４４〜４６を移動してもよい。固定部品５７によって、拡張カード９を引出し２２に固定した後、図１５に示すように、引出し２２を完全にアクセサリ収容筐体５に押し入れることができる。
【００６１】
図１６は産業用コンピュータ１の拡張カード９を引出装置１０に収容する方法の実施形態を示す模式的なブロック図である。ステップＳ１において、引出装置１０の拡張カード９を収容するのに用いられる引出し２２を提供する。ステップＳ２において、拡張カード９を引出し２２に押し入れる。ステップＳ３において、固定部品５７によって拡張カード９を引出し２２に固定し、固定部品５７は、少なくとも段階的に、形状嵌合方式により第一側壁２４と拡張カード９を同時に留める。
【００６２】
本文は以上の実施形態のように示したが、これに限られるものではなく、当業者が本発明の精神の範囲から逸脱しない範囲において、変更又は修正することが可能であるが故に、本発明の保護範囲は均等の範囲にまで及ぶものとする。
【産業上の利用可能性】
【００６３】
本発明は、産業用コンピュータに用いられる引出装置に適用できる。
【符号の説明】
【００６４】
１：産業用コンピュータ
２：筐体装置
３：冷却筐体
４：電子デバイス収容筐体
５：アクセサリ収容筐体
６：冷却ユニット
７：ファン
８：ファン
９：拡張カード
１０：引出装置
１１：プリント回路基板
１２：プラグインコネクタ
１３：固定プレート
１４：プラグインコネクタ
１５：ベース部分
１６：固定部分
１７：凹溝
１８：凹溝
１９：ＬＥＤ
２０：ＬＥＤ
２１：取り付け部分
２２：引出し
２３：底部
２４：側壁
２５：側壁
２６：前壁
２７：ベース部分
２８：穿孔
２９：貫通孔
３０：貫通孔
３１：収容部分
３２：穿孔
３３：屈曲部
３４：固定部分
３５：凹溝
３６：凹溝
３７：ベース部分
３８：穿孔
３９：屈曲部
４０：ガイド溝
４１：ガイド溝
４２：ガイド溝
４３：ガイド溝
４４：支持部品
４５：支持部品
４６：支持部品
４７：ベース部分
４８：ヘッド部分
４９：凹溝
５０：ガイドピン
５１：接続部分
５２：脚部部分
５３：ガイド部分
５４：ギャップ
５５：ヘッド部分
５６：ヘッド部分
５７：固定部品
５８：軸部
５９：ロック部分
６０：側面部
６１：側面部
６２：切り口
６３：係合突起
６４：係合突起
ＤＲ：回転方向
ＥＺ：ロック解除状態
Ｓ１：ステップ
Ｓ２：ステップ
Ｓ３：ステップ
ＶＺ：ロック状態
【図１】
0006296143.tif 000002
【図２】
0006296143.tif 000003
【図３】
0006296143.tif 000004
【図４】
0006296143.tif 000005
【図５】
0006296143.tif 000006
【図６】
0006296143.tif 000007
【図７】
0006296143.tif 000008
【図８】
0006296143.tif 000009
【図９】
0006296143.tif 000010
【図１０】
0006296143.tif 000011
【図１１】
0006296143.tif 000012
【図１２】
0006296143.tif 000013
【図１３】
0006296143.tif 000014
【図１４】
0006296143.tif 000015
【図１５】
0006296143.tif 000016
【図１６】
0006296143.tif 000017